(57)【特許請求の範囲】
【請求項１】
磁気ディスク及び該磁気ディスクに対する情報の記録・再生を行う磁気ヘッドがその内部にほぼ気密に収容され、該内部と外部を連通する呼吸孔を有するハウジングと、
該呼吸孔に対向して該ハウジングに取り付けられる呼吸フィルタユニットと、
該呼吸フィルタユニットと上記ハウジングの間に設けられ、塵埃の通過を妨げる塵埃フィルタとを備え、
該呼吸フィルタユニットは、
第１の小孔を有し、上記ハウジングに固定されるユニットボディと、
第２の小孔を有し、上記ユニットボディと共に膨張室を郭成するユニットカバーとを含み、
前記ユニットボディは、前記呼吸孔に対応する位置に設けられた前記ハウジングの肉薄部に着座する肉厚部を有し、
前記第１の小孔は前記ユニットボディの肉厚部に形成されている磁気ディスク装置。
【請求項２】
上記呼吸フィルタユニットは、第３の小孔を有するユニットウォールをさらに含み、
該ユニットウォールは上記ユニットボディ内で上記膨張室を複数の部分に分割する請求項１に記載の磁気ディスク装置。
【請求項３】
上記膨張室は、上記ユニットカバーの側に位置する第１の膨張室と、上記ハウジングの側に位置する第２の膨張室とからなる請求項２に記載の磁気ディスク装置。
【請求項４】
上記第１の膨張室内に設けられる乾燥剤と、上記第２の膨張室内に設けられ金属腐食性ガスを吸収するガスフィルタとをさらに備えた請求項３に記載の磁気ディスク装置。
【請求項５】
上記第１及び第２の膨張室内にそれぞれ設けられる第１及び第２のガスフィルタをさらに備え、
該第１及び第２のガスフィルタは異種の金属腐食性ガスを吸収する請求項３に記載の磁気ディスク装置。
【請求項６】
上記第１、第２及び第３の小孔並びに上記呼吸孔が直線状に配置されていない請求項２に記載の磁気ディスク装置。
【発明の詳細な説明】
【０００１】
【産業上の利用分野】
本発明は呼吸フィルタユニットを備えた磁気ディスク装置に関する。
近年、コンピュータ用外部記憶装置の一種である磁気ディスク装置の小型化、薄型化が進んでおり、さらに低消費電力化が求められている。磁気ヘッド及び磁気ディスクに関する技術的進歩もめざましく、より高い効率、性能が追求された結果、ヘッド浮上量が低下し、磁気ヘッド及び磁気ディスクが金属腐食性ガスにより影響を受けやすくなっている。
【０００２】
【従来の技術】
コンピュータ用磁気ディスク装置では、コンタクトスタートストップ（ＣＳＳ）が一般的に採用されている。ＣＳＳでは、磁気ディスク回転中においては、高速回転により発生する空気流体による浮上力とヘッドをディスクに押し付けるスプリングアームの力とのバランスで、ヘッドは磁気ディスク上を微小な間隔を保って浮上する。
【０００３】
磁気ディスクの回転が停止すると、ヘッドはディスク上の接触可能領域へ移動し、そこでヘッドとディスクが接触する。ディスクの回転停止中は、ヘッドとディスクは接触したままである。
【０００４】
このように、磁気ディスク回転中は、ヘッドが磁気ディスク上を微小な間隔を保って浮上するため、わずかな塵埃等が原因でヘッドクラッシュが発生する。このため、磁気ディスク及びヘッドアクチュエーターは密閉されたディスクエンクロージャ（ハウジング）内に配置される。
【０００５】
しかし、ハウジング内部の密閉度を長期間保つことは困難であり、また、温度変化等に起因する装置内部の圧力変動によって磁気ヘッドの浮上量が変化する。これを防止するために、ハウジングに呼吸孔を設け、装置内外の圧力が概略等しくなるようにしている。
【０００６】
呼吸孔には通常呼吸フィルタが取り付けられ、この呼吸フィルタにより塵埃が装置外部から内部に侵入するのを防止している。
【０００７】
【発明が解決しようとする課題】
しかし、この種の呼吸フィルタは塵埃を除去する機能を有しているものの、金属腐食性ガスの装置内部への侵入を妨げることはできない。
【０００８】
よって、本発明の目的は、塵埃及び金属腐食性ガスが装置内部に侵入することを防止することができる簡単な構成の磁気ディスク装置を提供することにある。
【０００９】
【課題を解決するための手段】
本発明によると、磁気ディスク及び該磁気ディスクに対する情報の記録・再生を行う磁気ヘッドがその内部にほぼ気密に収容され、該内部と外部を連通する呼吸孔を有するハウジングと、該呼吸孔に対向して該ハウジングに取り付けられる呼吸フィルタユニットと、該呼吸フィルタユニットと上記ハウジングの間に設けられ、塵埃の通過を妨げる塵埃フィルタとを備え、該呼吸フィルタユニットは、第１の小孔を有し、上記ハウジングに固定されるユニットボディと、  第２の小孔を有し、上記ユニットボディと共に膨張室を郭成するユニットカバーとを含む磁気ディスク装置が提供される。
【００１０】
【作用】
本発明では、呼吸フィルタユニットとハウジングの間に設けられた塵埃フィルタにより塵埃が装置外部から内部に侵入ことが防止される。
【００１１】
また、呼吸フィルタユニットにおいては、それぞれが小孔を有するユニットボディー及びユニットカバーにより膨張室が郭成されているので、金属腐食性ガスが装置外部から内部に侵入することが防止される。
【００１２】
さらに、このような呼吸フィルタユニットは簡単な構成を有しているので、装置の低価格化が可能になる。
【００１３】
【実施例】
以下、本発明の実施例を添付図面に従って詳細に説明する。
図１は本発明が適用される磁気ディスク装置の部分断面平面図である。この磁気ディスク装置は、複数枚の磁気ディスク２と、磁気ディスク２に対して情報の記録・再生を行う複数の磁気ヘッド４と、磁気ヘッド４を支持しこれを磁気ディスク２上のトラック間で移動させるロータリー型のヘッドアクチュエータ６とをハウジング８内に有している。符号１０はハウジング８を密閉するためのカバーを表す。
【００１４】
ヘッドアクチュエータ６は、軸１２にベアリング１４を介して取り付けられたキャリッジ１６を含み、このキャリッジ１６は、軸１２に対して回動可能に設けられる本体部１８と、本体部１８から軸１２に実質的に垂直に延在するアーム部２０とからなる。
【００１５】
アーム部２０の先端にはスプリングアーム２２を介して磁気ヘッド４が取り付けられ、スプリングアーム２２の弾性復元力によって、磁気ディスク２の停止時には、磁気ヘッド４が磁気ディスク２に押しつけられるようになっている。また、磁気ディスク２の回転中には、磁気ヘッド４と磁気ディスク２の間の空気流によって生じる浮上力とスプリングアーム２２の弾性力とがつり合う位置に磁気ヘッド４が浮上するようになっている。
【００１６】
キャリッジの本体部１８のアーム部２０とほぼ反対の側には支持部材２４が設けられている。支持部材２４の外周縁部にはコイル２６が例えば接着により固定されている。コイル２６の外側及び内側には、コイル２６に流す電流との相互作用によってヘッドアクチュエータ６の駆動力を得るための磁界を発生する永久磁石２８及び３０がそれぞれ設けられている。
【００１７】
符号３２は永久磁石２８及び３０を含む磁気回路を形成するためのヨークである。この磁気回路によって永久磁石２８及び３０間にはラジアル方向の磁束が発生し、この磁束にコイル２６の軸１２に平行な捲線部分が錯交することでヘッドアクチュエータ６の駆動力が発生する。
【００１８】
符号３４は本発明において特徴的な呼吸フィルタユニットを表しており、この呼吸フィルタユニット３４はハウジング８に例えば着脱可能に取り付けられる。呼吸フィルタユニット３４の構造の種々のバリエーションについては後述する。
【００１９】
図２は図１の磁気ディスク装置における呼吸フィルタユニット取付部の断面図である。ハウジング８には肉薄部８Ａが形成されており、この肉薄部８Ａには呼吸孔３６が形成されている。呼吸孔３６の直径は例えば１ｍｍである。
【００２０】
呼吸フィルタユニット３４は呼吸孔３６に対向するようにハウジング８に取り付けられる。
呼吸フィルタユニット３４とハウジング８の間には塵埃フィルタ３８が設けられる。塵埃フィルタ３８は呼吸孔３６を介しての塵埃の通過を妨げるためのものである。塵埃フィルタ３８は例えばハウジング肉薄部８Ａに貼着される。
【００２１】
このように塵埃フィルタ３８を直接ハウジング８に取り付けている理由は、呼吸フィルタユニット３４の一般環境下での交換を可能にするためである。即ち、呼吸フィルタユニット３４を一般環境下でハウジング８から取り外した場合、本実施例のように塵埃フィルタ３８を直接肉薄部８Ａに貼着しておくことによって、装置外部から内部に塵埃が侵入することが防止されるのである。
【００２２】
図３の（Ａ）は呼吸フィルタユニットの第１実施例を示す平面図、図３の（Ｂ）は（Ａ）における（Ｂ）−（Ｂ）線に沿った呼吸フィルタユニットの断面図である。
【００２３】
この呼吸フィルタユニット３４は、ハウジング側の底部で閉塞された概略円筒形状のユニットボディ４０を有している。ユニットボディ４０の底部には肉厚部４０Ａが形成されており、この肉厚部４０Ａの概略中央部には第１の小孔４２が形成されている。
【００２４】
符号４４はユニットボディ４０と共に膨張室４８を郭成するユニットカバーを表しており、このユニットカバー４４はユニットボディ４０の頂部に着座している。ユニットカバー４４の概略中央部には第１の小孔４２とほぼ同径の第２の小孔４６が形成されている。
【００２５】
ディスク回転用のスピンドルモータの起動時や磁気ディスク装置の発熱の影響により、装置内部の圧力が増大すると、装置内部の空気は第２の小孔４２を介して膨張室４８内に侵入し、ここに滞留することになる。
【００２６】
一方、スピンドルモータの停止時や磁気ディスク装置の温度低下により装置内部の圧力が低下すると、膨張室４８内に滞留している空気が装置内部へと導入されることになる。
【００２７】
このように、本実施例によると、装置外部の金属腐食性ガスが装置内外の圧力差によって装置内部に侵入する恐れがない。また、装置内外に圧力差がない定常状態にあっては、装置外部の金属腐食性ガスは第１の小孔４６を介しての拡散のみによって、膨張室４８内に侵入し得るが、その量は微小であり、悪影響はない。
【００２８】
図４は呼吸フィルタユニットの第２実施例を示す断面図である。この実施例は、呼吸フィルタユニット３４が、ユニットボディ４０及びユニットカバー４４によって郭成される膨張室を２つの部分（第１の膨張室４８Ａと第２の膨張室４８Ｂ）に分割するユニットウォール５０をさらに備えている点で特徴付けられる。
【００２９】
ユニットウォール５０の概略中央部には、第１及び第２の小孔４２及び４６とほぼ同径の第３の小孔５２が形成されている。
この実施例によると、膨張室を２つの部分に分割しているので、定常状態における外部からの金属腐食性ガスの拡散による装置内部への侵入がより生じにくくなる。なお、この効果をより顕著なものにするために、膨張室を３つ以上の部分に分割してもよい。
【００３０】
各小孔４２，４６，５２の直径は、０．５ｍｍ以下であると機械加工による小孔の形成が困難であり、一方１ｍｍ以上であると金属腐食性ガスの拡散が懸念されるので、小孔の直径は０．５ｍｍ乃至１．０ｍｍの範囲にあることが望ましい。
【００３１】
ユニットボディ４０の底部に肉厚部４０Ａを形成しているのは、第２の小孔４２を十分に長くして拡散による金属腐食性ガスの装置内部への侵入を良好に防止するためである。
【００３２】
図５は呼吸フィルタユニットの第３実施例を示す断面図である。この実施例は、図４の第２実施例と対比して、第１及び第２の膨張室４８Ａ及び４８Ｂ内にそれぞれ設けられる乾燥剤５４及びガスフィルタ５６をさらに備えている点で特徴付けられる。
【００３３】
ガスフィルタ５６は装置外部からの金属腐食性ガスを吸収するためのものである。また、乾燥剤５４は装置外部からの流入空気中に含まれる水分（水蒸気）を除去するためのものである。
【００３４】
乾燥剤５４は例えばシリカゲルであり、ガスフィルタ５６は例えばその主成分として活性炭を含む。
この実施例によると、装置外部から内部に空気が流入したとしても、その空気に含まれる水分及び金属腐食性ガスを除去することができるので、ヘッドクラッシュの防止に寄与するところが大きい。
【００３５】
なお、本実施例において、装置外部の側の第１の膨張室４８Ａ内に乾燥剤５４を設けているのは、ガスフィルタを第１の膨張室４８Ａ内に設ける場合と比較して、ガスフィルタの寿命が延びるからである。
【００３６】
図６は呼吸フィルタユニットの第４実施例を示す断面図である。この実施例では、第１の膨張室４８Ａ及び第２の膨張室４８Ｂにそれぞれ第１のガスフィルタ５６’と第２のガスフィルタ５６を設けている。第２のガスフィルタ５６は図５の第３実施例におけるガスフィルタ５６に相当する。
【００３７】
そして、ガスフィルタ５６，５６’は異種の金属腐食性ガスを吸収するようなものである。例えば、ガスフィルタ５６は二酸化炭素をよく吸収し、ガスフィルタ５６’は亜硫酸ガスをよく吸収する。
【００３８】
図７の（Ａ）は呼吸フィルタユニットの第５実施例を示す平面図、図７の（Ｂ）は（Ａ）における（Ｂ）−（Ｂ）線に沿った呼吸フィルタユニットの断面図である。
【００３９】
この実施例は、図４の第２実施例と対比して、第１、第２及び第３の小孔４２，４６，５２が直線状に配置されていないことで特徴付けられる。即ち、各小孔は互いに重ならないように配置される。図示はしないが、ハウジングの呼吸孔３６（図２参照）も各小孔と重ならないように配置されている。
【００４０】
こうすることにより、装置外部から内部への空気の流入経路を長くすることができるので、金属腐食性ガスや水分が装置外部から内部により侵入しにくくなる。
【００４１】
以上説明した実施例では、呼吸フィルタユニットをハウジングとは別体に設けているが、呼吸フィルタユニットの一部をハウジングと一体に形成してもよい。その具体例を図８及び図９により説明する。
【００４２】
図８は、呼吸フィルタユニットの一部がハウジングと一体に形成される磁気ディスク装置の呼吸孔近傍の断面図である。ハウジング８には肉薄部８Ａが形成されており、この肉薄部８Ａには呼吸孔３６が形成されている。肉薄部８Ａの周囲には肉薄部８Ａよりも厚くハウジング８の肉薄部８Ａ以外の部分よりも薄い肉薄部８Ｂが形成されている。
【００４３】
肉薄部８Ａには呼吸孔３６に対向するようにフィルタ５８が設けられている。フィルタ５８は例えば塵埃の通過を阻止する機能を有しており、このフィルタ５８は金属腐食性ガスの通過を阻止する機能を更に有していてもよい。
【００４４】
フィルタ５８に対向して、ハウジング８にはハウジング８と共に第１の膨張室６４を郭成するためのユニットカバー６０が取り付けられている。ユニットカバー６０は第１の膨張室６４とハウジング外部とを連通する小孔６２を有している。
【００４５】
本実施例によっても、以上説明した実施例と同様の原理に従って、塵埃及び金属腐食性ガスが装置内部に侵入することを防止することができる簡単な構成の磁気ディスク装置の提供が可能になる。
【００４６】
図９は、呼吸フィルタユニットの一部がハウジングと一体に形成される磁気ディスク装置の呼吸孔近傍の他の断面図である。この実施例では、ハウジング８の内部に第２の膨張室６５を郭成するために、ハウジング８と例えば一体的にユニットウォール６６が形成されている。ユニットウォール６６には肉薄部６６Ａが形成され、この肉薄部６６Ａには小孔６８が形成されている。
【００４７】
小孔６８は第２の膨張室６５とハウジング内部とを連通し、呼吸孔３６は第１の膨張室６４と第２の膨張室６５とを連通する。
ユニットウォール６６の肉薄部６６Ａには小孔６８に対向してフィルタ７０が設けられている。フィルタ７０はフィルタ５８と同様の機能を有する。
【００４８】
第２の膨張室６５内にはガス吸着剤あるいは乾燥剤７２が充填されている。符号７４はハウジング外部からガス吸着剤あるいは乾燥剤７２を交換するための開閉可能な蓋を表している。蓋７４は例えばネジ蓋であり、これにより第２の膨張室６５の密閉性が確保される。
【００４９】
この実施例によると前実施例と対比して膨張室を更に１つ多く有しているので、金属腐食性ガスに対する装置の許容度が向上する。また、図示したように必要に応じて第２の膨張室６５内にガス吸着剤あるいは乾燥剤７２を充填しておくことで、その所望の機能を十分に発揮させることができる。
【００５０】
図８及び図９により説明した実施例は、呼吸フィルタユニットをハウジングと別体に有している実施例と対比して、装置構成の更なる簡略化が可能になり、磁気ディスク装置の低価格化に寄与するところが大きい。
【００５１】
【発明の効果】
以上説明したように、本発明によると、塵埃及び金属腐食性ガスが装置内部に侵入することを防止することができる簡単な構成の磁気ディスク装置の提供が可能になるという効果が生じる。
【図面の簡単な説明】
【図１】本発明を適用可能な磁気ディスク装置の部分断面平面図である。
【図２】図１の磁気ディスク装置の呼吸フィルタユニット取付部の断面図である。
【図３】呼吸フィルタユニットの第１実施例を示す図である。
【図４】呼吸フィルタユニットの第２実施例を示す図である。
【図５】呼吸フィルタユニットの第３実施例を示す図である。
【図６】呼吸フィルタユニットの第４実施例を示す図である。
【図７】呼吸フィルタユニットの第５実施例を示す図である。
【図８】呼吸フィルタユニットの一部がハウジングと一体に形成される磁気ディスク装置の呼吸孔近傍の断面図である。
【図９】呼吸フィルタユニットの一部がハウジングと一体に形成される磁気ディスク装置の呼吸孔近傍の他の断面図である。
【符号の説明】
２  磁気ディスク
４  磁気ヘッド
８  ハウジング
３４  呼吸フィルタユニット
３６  呼吸孔
４０  ユニットボディ
４２  第１の小孔
４４  ユニットカバー
４６  第２の小孔
４８  膨張室
【図１】
0003547480.tif 000002
【図２】
0003547480.tif 000003
【図３】
0003547480.tif 000004
【図４】
0003547480.tif 000005
【図５】
0003547480.tif 000006
【図６】
0003547480.tif 000007
【図７】
0003547480.tif 000008
【図８】
0003547480.tif 000009
【図９】
0003547480.tif 000010